(57)【要約】【課題】  犬の糞を回収するビニール袋が、綺麗に簡単に折り畳まれると共に、糞を地面に排泄する前に簡単に回収でき、コンパクトな犬の糞回収具を提供する。【解決手段】ビニール袋６に入れる枠体２と、その枠体２に装着される突出アーム４と保持具３とよりなり、枠体２は略左右対称となる位置より回動し、突出アーム４は枠体２の一方両端側に互いに交叉する位置に装着されると共に、保持具３により折り畳まれた枠体２がその状態を保持される。【選択図】図２
2014212783.tif 000002
【特許請求の範囲】
【請求項１】
ビニール袋に入れる枠体と、その枠体に装着される突出アームと保持具とよりなり、枠体は略左右対称となる位置より回動し、突出アームは枠体の一方両端側に互いに交叉する位置に装着されると共に、保持具により折り畳まれた枠体がその状態を保持されることを特徴とする犬の糞回収具。
【発明の詳細な説明】
【技術分野】
【０００１】  本発明は、犬が糞を地面に排泄する前に糞を受け、ビニール袋に収納して回収する犬の糞回収具に関する。
【背景技術】
【０００２】  従来、犬が糞を排泄するとき、地面に直接排泄させないで受け取る方法とし、地面に紙を敷き、その紙で糞を受け、受けたその紙で包んでビニール袋に入れて回収するか、ビニール袋に手を入れ、その手で糞を受け、ビニール袋をひっくり返して収納し回収していた。【０００３】  又、地面に糞を排泄する前に糞をビニール袋に収納し回収する糞回収具としては、略昆虫網の形状をした犬の糞回収具が主流であった。
【発明の概要】
【発明が解決しようとする課題】
【０００４】  上記の糞回収方法で紙を敷いて糞を受け、その受けた紙で糞を包むときや、ビニール袋に手を入れ、その手で糞を受けるときにいやな感触が手に伝わり不快を感じていた。【０００５】  また、上記の糞を収納したビニール袋の口からは悪臭が放出され、それを防ぐためビニール袋に結びを作り臭気の放出を防いでいた。【０００６】  しかし、糞を受け、ビニール袋への収納を重ねるときは、その都度結びを解いたり結んだりしなければならず、非常に面倒であった。【０００７】  略昆虫網の形状をした犬の糞回収具は、ビニール袋の装着が非常に面倒で、その装着したビニール袋の形状もスッキリ納まらず、外見も非常に悪く、また、かさばるため携行するには抵抗があった。【０００８】  更に上記犬の糞回収具は、回収袋からの臭気対策として、枠が開閉するものや蓋が付いているも、回収袋の口部を紐でしぼるものがあったが、枠の開閉するものや蓋つきのものは構造が複雑で壊れ易く、また、密閉度が良くなく隙間から臭気が漏れていた。回収袋の口部を紐でしぼるものは再度糞を収納するとき、口部の開閉が非常に面倒であった。【０００９】  本発明は、斯かる事情に鑑みてなされたもので、従来の前記問題を一挙に解決することが出来る犬の糞回収具を提供することを目的とする。
【課題を解決するための手段】
【００１０】  前記目的を達成するために本発明は、ビニール袋に入れる枠体と、その枠体に装着される突出アームと保持具とよりなり、枠体は略左右対称となる位置より回動し、突出アームは枠体の一方両端側に互いに交叉する位置に装着されると共に、保持具により折り畳まれた枠体がその状態を保持されることを特徴とする。
【発明の効果】
【００１１】  本発明によれば、枠体を開いた状態、つまり中心線より略左右対称の状態でビニール袋に入れ、この状態で犬が糞を模様したとき、その位置に差出し糞を受ける。受け終ったら枠体を折り畳むことにより、糞は枠体と共に折り畳まれたビニール袋の突出アームが位置する周りに収納される。【００１２】  つまり、糞を受けた枠体を折り畳んだ状態のときは突出アームが互いに交叉し空間部を形成し、糞はこの空間部周辺に収納される。【００１３】  また、この突出アームの交叉により、ビニール袋の突出アーム周りのビニール面が入組み、接触面が多くなり臭気の放出を抑える。【００１４】  さらにこの突出アームは枠体を開いたとき突出するため、糞はこの突出アームに受けられ、糞の転げ落ちを防ぐ効果がある。【００１５】  再度糞を受け、回収袋に収納するときは枠体を開いて糞を受け、受け終わったら枠体を閉じる。糞はここで再度収納され、保持具をはめることにより枠体を閉じた状態に保持出来る。このように地面に排泄する前に簡単に収納量の限界まで、何回でも糞を収納できる。このビニール袋は、略枠体と一体のため、枠体を折り畳むとビニール袋も折り畳まれ、さらに大きなサイズのビニール袋の場合、余分な部分を折り畳んで枠体に挟み込むことにより、異なるサイズにも対応が出来、コンパクトですっきりとした綺麗な形で携行でき、非常に便利である。【００１６】  糞を収納し、回収したビニール袋を枠体から外す場合は、枠体の保持具を外し、ビニール袋を裏返す方向に引くと枠体から外れる。このとき収納している糞はビニール袋内に収納されて枠体から外れる。つまり折り畳んでいる枠体を開き、ビニール袋をひっくり返すと枠体とビニール袋は分離される。【００１７】  このように、本発明の犬の糞回収具はビニール袋の中に枠体を入れるので、従来の、枠にビニール袋を装着する昆虫網形状の犬の糞回収具の欠点を解決することが出来る。【００１８】  尚、本発明において、「回動」とは、開いたり閉じたりすることの意は勿論のこと、折り畳む意も含み、「ビニール袋」とは回収袋を指す。
また、「回収」とは集めて持ち帰る意である。
【図面の簡単な説明】
【００１９】
【図１】  本発明の犬の糞回収具が開いて糞を受けた状態で一部破断した状態を示す斜視図
【図２】  本発明の犬の糞回収具が閉じて糞を収納した状態を示す斜視図
【発明を実施するための形態】
【実施例】
【００２０】  本発明の実施の形態を添付図面に例示した本発明の実施例に基づいて、以下に具体的に説明する。【００２１】  添付図面において、図１は枠体２を開いてビニール袋６に入れ、犬の糞７を地面に排泄する前にビニール袋６上面に受けている。このとき枠体２はビニール袋６の中に入っているため汚れることはない。糞７を受ける位置は突出アーム４より手前のため、この状態で持ち上げて糞７側が下がっても、糞７の転がりを突出アーム４が受け、落下を防ぐことが出来る。【００２２】  次に図２について説明すると、図１の枠体２を閉じた状態であり、糞７は枠体２と略一体に折り畳まれたビニール袋６の突出アーム４部に収納されている。このとき突出アーム４は互いに交叉し空間部を形成し、この空間部周辺に糞７は収納されている。またこの突出アーム４により、ビニール袋６の突出アーム４に対応する部分が入組み接触面が多くなり、糞７の臭気放出を抑えることが出来る。【００２３】  このように、開いた枠体２をビニール袋６に入れてその枠体２を折り畳むと、枠体２とビニール袋６が略一体となり折り畳まれる。この状態で保持具３をかけることにより枠体２が閉じた状態を保持されるとともに、枠体２と略一体となっているビニール袋６も綺麗にコンパクトに折り畳まれた状態で携行出来る。糞７を受けるときは枠体２を開いて受け、受けたら折り畳み糞を収納し、この状態で枠体が開かないように保持具３でおさえる。この繰り返しで何回でも収納可能な量まで簡単に回数をかさねることが出来る。このようにコンパクトでスッキリとしたきれいな形状で携行が出来非常に便利である。【００２４】  以上、本発明の実施例について説明したが、本発明はその実施例に限定されることなく、本発明の範囲内で種々の実施例が可能である。たとえば前記実施例では突出アームを単独に加工していたが枠体に直接成形してもよくまた保持具も枠体に嵌合する嵌合部を直接成形してもよい。
【符号の説明】
【００２５】１．．．．．犬の糞回収具
２．．．．．枠体
３．．．．．保持具
４．．．．．突出アーム
５．．．．．ヒンジ
６．．．．．ビニール袋
７．．．．．糞
【図１】
2014212783.tif 000003
【図２】
2014212783.tif 000004